(57)【特許請求の範囲】
【請求項１】
外郭を構成する本体と、
前記本体の上面に設けられ、調理容器が載置されるトッププレートと、
前記トッププレートの下に設置され、内側に少なくとも周方向に配置された複数の加熱コイルを有するコイルベースと、
前記コイルベースを支持する弾性部材と、
前記トッププレートと前記コイルベースとの間に設けられたスペーサー部材とを備え、
前記弾性部材および前記スペーサー部材は、同一軸心上に配置され、前記コイルベースの周方向に隣接する前記加熱コイルの間に設けられていることを特徴とする加熱調理器。
【請求項２】
前記弾性部材は、弾性部材受け部に設けられ、
前記スペーサー部材は、前記弾性部材の軸心を中心として、弾性部材受け部に前記弾性部材の反対側に設けられていることを特徴とする請求項１記載の加熱調理器。
【発明の詳細な説明】
【技術分野】
【０００１】
本発明は、調理容器である鍋を加熱コイルで誘導加熱する加熱調理器に関するものである。
【背景技術】
【０００２】
従来の加熱調理器においては、加熱コイルのコイルユニットのバネ受け部を外形が円形状のコイルベースの外周面側に取り付けて、そのバネ受け部のバネによりコイルユニットをトッププレートの下面に押しつけるようにしている（例えば、特許文献１参照）。
【先行技術文献】
【特許文献】
【０００３】
【特許文献１】特開２００３−１００４２９号公報（第４頁、図１）
【発明の概要】
【発明が解決しようとする課題】
【０００４】
しかしながら、前述した従来の加熱調理器では、コイルベースの外周縁からバネ受け部がはみ出しているため、他部品の配置に影響を与えやすく、他機種の加熱調理器との共有化が図りにくい構造であった。また、そのコイルベースからバネ受け部がはみ出しているため、バネ受け部の補強がしにくく、そのため、バネの力（抗力）により、バネ受け部やコイルベースが変形しやすく、加熱コイルとトッププレートとの距離が一定になりにくかった。
【０００５】
本発明は、前述のような課題を解決するためになされたものであり、コイルユニットの周囲のスペースを確保し、バネから受ける応力によるバネ受け部やコイルベースの変形を抑えることができる加熱調理器を提供することを目的とする。
【課題を解決するための手段】
【０００６】
本発明に係る加熱調理器は、外郭を構成する本体と、本体の上面に設けられ、調理容器が載置されるトッププレートと、トッププレートの下に設置され、内側に少なくとも周方向に配置された複数の加熱コイルを有するコイルベースと、コイルベースを支持する弾性部材と、トッププレートとコイルベースとの間に設けられたスペーサー部材とを備え、弾性部材およびスペーサー部材は、同一軸心上に配置され、コイルベースの周方向に隣接する加熱コイルの間に設けられている。
【発明の効果】
【０００７】
本発明によれば、弾性部材およびスペーサー部材をコイルベースの内側に設けているので、コイルベースの外周面側にバネ受け部を設けた従来と比べコイルベースの外径を小さくでき、そのため、コイルベースの省スペース化が図れる。また、そのコイルベースの省スペース化により、他機種の加熱調理器への流用がし易くなった。さらに、コイルベースの内側に弾性部材およびスペーサー部材を設けたので、コイルベースおよびバネ受け部の補強が容易になり、変形を抑制できる。
【図面の簡単な説明】
【０００８】
【図１】実施の形態に係る加熱調理器の斜視図である。
【図２】実施の形態に係る加熱調理器のトッププレートを取り外して示す斜視図である。
【図３】図２の加熱調理器において左側のコイルユニットを拡大して示す上面図である。
【図４】図３のコイルユニットを１８０度反転して示す下面図である。
【図５】図４の下面図においてフェライト部分を拡大して示す側面視の断面図である。
【図６】図３に示すＡ−Ａ矢視の断面図である。
【発明を実施するための形態】
【０００９】
図１は実施の形態に係る加熱調理器の斜視図、図２は実施の形態に係る加熱調理器のトッププレートを取り外して示す斜視図、図３は図２の加熱調理器において左側のコイルユニットを拡大して示す上面図、図４は図３のコイルユニットを１８０度反転して示す下面図、図５は図４の下面図においてフェライト部分を拡大して示す側面視の断面図、図６は図３に示すＡ−Ａ矢視の断面図である。
【００１０】
これらの図において、本実施の形態の加熱調理器は、外郭を構成する加熱調理器本体１と、加熱調理器本体１の上部開口面を覆うように取り付けられ、外周に外枠を有するトッププレート２と、トッププレート２の後部の外枠に着脱自在に設けられた吸排気口のカバー３と、加熱調理器本体１の前面に配置された操作部４と、加熱調理器本体１の前面に操作部４と隣接して設けられたグリル扉５を備えている。トッププレート２は、例えば耐熱強化ガラスより構成されている。そのトッププレート２の下には例えば２つのコイルユニット６、７と、１つのヒーターユニット８が配置されている。
【００１１】
コイルユニット６には、後述するが、複数の加熱コイルが設けられ、コイルユニット７には、小径および大径のリング状の加熱コイルが設けられている。また、ヒーターユニット８には、ラジエントヒーターが設けられている。前述の加熱コイルに高周波電流が流れると、加熱コイルから高周波電流に応じた磁束が発生し、その磁束によりトッププレート２に載置された調理容器である鍋などが誘導加熱される。なお、ヒーターユニット８に代えて、コイルユニット７の外径より小さいコイルユニットを用いてもよい。
【００１２】
前述のコイルユニット６は、図３、図４に示すように、コイルベース６１と、複数のフェライト６３と、複数の加熱コイル６４、６５、６６を備えている。コイルベース６１は、中央に位置する中央支持体６２と、この中央支持体６２を中心に放射状に伸びる複数の梁部６２ａと、この梁部６２ａの端部と連結されたリング形状の側板６２ｂと、トッププレート２側に突出するスペーサー部材６７をそれぞれ有する例えば４つのバネ受け部６８（弾性部材受け部）を有し、円盤状に形成されている。そして、梁部６２ａは、図５に示すように、断面形状が下方向に開口するコの字状に形成され、その開口にフェライト６３が嵌め込まれて固着されている。また、コイルベース６１の上側面、つまり、梁部６２ａのフェライト６３側の反対側の面には、後述する加熱コイル６４、６５、６６が設けられている。
【００１３】
フェライト６３は、加熱コイル６４、６５、６６から発生する磁束のうち下方や側方に漏洩する磁束の磁路としての役割をなしている。これによって、コイルユニット６から漏れる磁束を防止でき、操作部４に設けられた回路基板上の電子部品や、加熱コイル６４、６５、６６に高周波電流を供給するための回路基板上の電子部品などへの悪影響を与えないように防いでいる。
【００１４】
コイルユニット６の加熱コイル６４は、リング状に形成され、中央支持体６２を中心として中央支持体６２の外周を囲むように配置されている。加熱コイル６５は、加熱コイル６４の外径より大きいリング状に形成され、その加熱コイル６４の外周を囲むように配置されている。加熱コイル６６は、コイルベース６１の周方向に延びた変形リング状に形成され、加熱コイル６５の周囲に周方向に等間隔に例えば４個配置されている。
【００１５】
前述したバネ受け部６８は、図５に示すように、ほぼ中央に仕切壁６８ｂを有し、梁部６２ａの開口側に一体に成形された外円筒部６８ａと、外円筒部６８ａ内の仕切壁６８ｂの片面に上方に延びて設けられ、外円筒部６８ａの軸心を中心とする内円筒部６８ｃとで構成されている。そのバネ受け部６８の外円筒部６８ａは、図３、図４に示すように、内円筒部６８ｃがコイルベース６１の周方向に配置された隣接する加熱コイル６６の間に位置するように設けられている。
【００１６】
バネ受け部６８の外円筒部６８ａ内には、加熱調理器本体１のグリル加熱庫（図示せず）の上方に設けられた仕切板（図示せず）の上方に載置される弾性部材が取り付けられている。内円筒部６８ｃ内には、トッププレート２の下面に当接するスペーサー部材６７が挿入されている。弾性部材として例えばコイルバネ７０が使用されている。スペーサー部材６７には、例えばフッ素系あるいはシリコン系などの耐熱性のゴムが使用されている。
【００１７】
前記のように構成されたコイルユニット６を前述の仕切板に載せた場合、コイルユニット６の上部が加熱調理器本体１の開口面から露出する。その状態において、トッププレート２を加熱調理器本体１の開口面を覆って取り付けたときには、４つのバネ受け部６８のコイルバネ７０が軸心方向に縮む。一方、その４つのコイルバネ７０の抗力により内円筒部６８ｃ内に挿入されたスペーサー部材６７の頭部がトッププレート２の下面に当接している。
【００１８】
以上のように本実施の形態によれば、円盤状のコイルベース６１内にスペーサー部材６７およびコイルバネ７０を有するバネ受け部６８を設けたので、コイルベース６１の外周面側にバネ受け部を設けた従来と比べコイルユニット６の外径を小さくでき、そのため、コイルユニット６の省スペース化が図れる。また、そのコイルユニット６の省スペース化により、他機種の加熱調理器への流用がし易くなった。
【００１９】
また、バネ受け部６８は、スペーサー部材６７とバネ７０が上下の位置関係となるので、スペーサー部材６７がトッププレート２から押圧されることにより受ける荷重を、直接垂直方向にバネ７０が受ける構成となっている、これにより、バネ受け部６８を介して受けるコイルベース６１に作用する力の方向を、一方向の軸上に納めることができ、そのため、コイルベース６１を変形させるような力が作用し難くなっている。
【００２０】
また、円盤状のコイルベース６１内方にスペーサー部材６７およびコイルバネ７０を有するバネ受け部６８を設けたので、バネ受け部６８の周囲からバネ受け部６８に対してコイルベース６１と一体となるような補強を形成することが可能となり、バネ受け部６８およびコイルユニット６の補強が容易になり、トッププレート２の方向やコイルバネ７０から受ける応力によるバネ受け部６８の変形を抑制できる。
【００２１】
さらに、スペーサー部材６７を加熱コイル６６の間に設けているので、加熱コイル６６間の絶縁距離を保持することが容易となる。
【符号の説明】
【００２２】
１  加熱調理器本体、２  トッププレート、３  カバー、４  操作部、５  グリル扉、６  コイルユニット、６１  コイルベース、６２  中央支持体、６２ａ  梁部、６２ｂ  コイルベースの側板、６３  フェライト、６４、６５、６６  加熱コイル、６７  スペーサー部材、６８  バネ受け部、６８ａ  外円筒部、６８ｂ  仕切壁、６８ｃ  内円筒部、７０  コイルバネ、７  コイルユニット、８  ヒーターユニット。
【図１】
0005645714.tif 000002
【図２】
0005645714.tif 000003
【図３】
0005645714.tif 000004
【図４】
0005645714.tif 000005
【図５】
0005645714.tif 000006
【図６】
0005645714.tif 000007